(57)【要約】【課題】  給紙された転写材が光沢や紙種の異なる転写材に変化しても安定した色味の画像を出力する。【解決手段】  給紙された転写材が変化した場合に、その転写材に形成した補正用画像の色味を検知し、検知結果に基づいて画像形成手段の色味補正を行い、その色味補正の補正データとその転写材に関する情報とを記憶する（Ｓ２０９〜Ｓ２１７）。その後、転写材への変化を検出した場合（Ｓ２０４のＮＯ）、記憶した転写材に関する情報に基づきその転写材がほぼ同じ転写材か判定し（Ｓ２１４）、ほぼ同じであれば、記憶した補正データにより画像形成を行う（Ｓ２１６、Ｓ２０５〜Ｓ２０７）。【選択図】      図７
2005125714.tif 000002
【特許請求の範囲】
【請求項１】
転写材に形成した補正用画像の色味を検知し、検知結果に基づいて画像形成手段の色味補正を行うカラー画像形成装置の制御方法であって、
給紙された転写材の変化を検出する工程と、
前記検出する工程で転写材の変化を検出した場合、その転写材に形成した補正用画像の色味を検知し、検知結果に基づいて画像形成手段の色味補正を行い、その色味補正の補正データとその転写材に関する情報とを記憶する工程と、
前記検出する工程で前記転写材への変化を検出した場合、前記記憶する工程で記憶した転写材に関する情報に応じて前記補正データにより画像形成を行うように制御する工程とを有することを特徴とするカラー画像形成装置の制御方法。
【請求項２】
前記画像形成手段における使用環境の変化を検知する工程を更に有し、
前記制御する工程では、前記検出する工程で前記転写材への変化を検出した場合、更に前記使用環境の変化に応じて前記補正データにより画像形成を行うか否かを制御することを特徴とする請求項１に記載のカラー画像形成装置の制御方法。
【請求項３】
前記検出する工程で前記転写材への変化を検出した場合、前記画像形成手段の色味補正を行うか、或いは前記補正データにより画像形成を行うかをユーザの指示に基づいて決定する工程を有することを特徴とする請求項１又は請求項２に記載のカラー画像形成装置の制御方法。
【請求項４】
前記制御する工程では、前記補正データにより画像形成を行わない場合、所定の補正値か、前記転写材に関する情報から決定される補正値により画像形成を行うように制御することを特徴とする請求項１に記載のカラー画像形成装置の制御方法。
【請求項５】
前記転写材に関する情報は、ユーザによって入力された情報か、転写材の光沢又は紙種を検知する検知手段による検知結果であることを特徴とする請求項１に記載のカラー画像形成装置の制御方法。
【請求項６】
前記補正データは、前記カラー画像形成装置の濃度−階調特性を補正するためのキャリブレーションテーブルのデータであることを特徴とする請求項１に記載のカラー画像形成装置の制御方法。
【請求項７】
転写材に形成した補正用画像の色味を検知し、検知結果に基づいて画像形成手段の色味補正を行うカラー画像形成装置において、
給紙された転写材の変化を検出する検出手段と、
前記検出手段により転写材の変化を検出した場合、その転写材に形成した補正用画像の色味を検知し、検知結果に基づいて画像形成手段の色味補正を行い、その色味補正の補正データとその転写材に関する情報とを記憶する記憶手段と、
前記検出手段により前記転写材への変化を検出した場合、前記記憶手段に記憶した転写材に関する情報に応じて前記補正データにより画像形成を行うように制御する制御手段とを有することを特徴とするカラー画像形成装置。
【請求項８】
コンピュータに請求項１に記載のカラー画像形成装置の制御方法の各手順を実行させるためのプログラム。
【請求項９】
請求項８に記載のプログラムを記録したコンピュータ読み取り可能な記録媒体。
【発明の詳細な説明】
【技術分野】
【０００１】
本発明は、転写材に形成した補正用画像の色味を検知し、検知結果に基づいて画像形成手段の色味補正を行う技術に関する。
【背景技術】
【０００２】
電子写真方式による画像形成装置は、環境の変化や長時間の使用による装置各部の変動があると、得られる画像の濃度が変動してしまう。特に、カラー画像形成装置の場合は、わずかな濃度の変動でもカラーバランスが崩れてしまう恐れがあるため、常に一定の濃度−階調特性を保つ必要がある。
【０００３】
そこで、電子写真方式のカラー画像形成装置では、各色のトナーに対して、絶対湿度に応じた数種類の露光量や現像バイアスなどのプロセス条件を補正するための補正手段や、ルックアップテーブル（ＬＵＴ）などの階調補正手段を備え、温湿度センサによって測定された絶対湿度に基づいて、その時のプロセス条件や階調補正の最適値を選択している。また、装置各部の変動が起こっても一定の濃度−階調特性が得られるように、各色のトナーで濃度検知用トナーパッチを中間転写体やドラム等の上に作成し、その未定着トナーパッチの濃度を未定着トナー用濃度検知センサで検知し、その検知結果に基づき、露光量、現像バイアスなどのプロセス条件にフィードバックをかけて濃度制御を行うことで、安定した画像が得られるように構成されている。
【０００４】
しかし、上記未定着トナー用濃度検知センサを用いた濃度制御は、トナーパッチを中間転写体やドラム等の上に形成し検知するもので、その後に行われる転写材への転写及び定着による画像のカラーバランスの変化については制御していない。一般的に、転写材へのトナー像の転写における転写効率や定着による加熱及び加圧によってもカラーバランスが変化するが、上述の未定着トナー用濃度検知センサを用いた濃度制御ではこの変化に対応できない。
【０００５】
そこで、転写、定着後に転写材上の単色トナー画像の濃度又はフルカラー画像の色度を検知する濃度又は色度センサ（以下カラーセンサという）を設置し、濃度又は色度制御用カラートナーパッチ（以下パッチという）を転写材上に形成し、検知した濃度又は色度を露光量、プロセス条件、ルックアップテーブル（ＬＵＴ）などのプロセス条件にフィードバックさせて、転写材上に形成する最終出力画像の濃度又は色度制御を行う画像形成装置（例えば、特許文献１参照。）が提案されている。
【０００６】
また、インクジェット方式のプリンタにおいても、インク吐出量の経時変化や環境差、インクカートリッジの個体差によってカラーバランスが変化し、濃度−階調特性を一定に保てない。そこで、プリンタの出力部付近にカラーセンサを設置し、記録媒体上のパッチの濃度又は色度を検知し、濃度又は色度制御を行うプリンタが提案されている。
【０００７】
画像形装置において出力すべき画像のＲＧＢデータは、カラーマッチングテーブルを用いて各画像形成装置で扱うデバイスＲＧＢ信号に変換され、デバイスＲＧＢ信号は色分解テーブルを用いてトナーやインクの色に合ったＹＭＣＫ信号に変換され、ＹＭＣＫ信号はキャリブレーションテーブルを用いて各画像形成装置に固有な濃度−階調特性を補正したＹ’Ｍ’Ｃ’Ｋ’信号に変換される。このため、濃度又は色度の制御方法はいくつか考えられる。例えば、測定した濃度からキャリブレーションケーブルを補正したり、測定した色度からカラーマッチングテーブルや色分解テーブルの補正を実施することにより、所望の色味の画像を得ることができる。
【特許文献１】特開２００３−７６０７７号公報
【発明の開示】
【発明が解決しようとする課題】
【０００８】
しかしながら、従来のカラー画像形成装置において、パッチを転写材上に形成し、そのパッチの濃度又は色度を検知し、検知結果に基づいて最終出力画像の濃度又は色度制御を行って色味の安定した画像を得る、「色安定化制御」を実施した後、光沢や紙種が異なる複数の転写材を用いて各転写材に画像を定着させる場合、定着された画像のトナーの色味が転写材によって異なってしまうという問題があった。これは、特に転写材上のトナーの載り量が小さい画像のハイライト部分で顕著になる。
【０００９】
また、ＬＢＰや複写機のようなカラー画像形成装置では、複数の給紙トレーや手差しの給紙口、給紙オプションを備え、複数の種類の転写材を通常扱うため、この問題が発生し易い環境にある。つまり、ユーザが転写材の種類を意識して毎回色安定化制御を実施することは、ネットワークを介して１つの画像形成装置を使用するような場合には難しいし、ユーザの負担が大きくなり、現実的ではなかった。
【００１０】
更に、色安定化制御の頻度が増えることにより、プリントできない時間が増えてしまい、またパッチを印字した転写材が多く発生してしまうという問題もあった。
【００１１】
本発明は、上記問題点に鑑みてなされたもので、給紙された転写材が光沢や紙種の異なる転写材に変化しても安定した色味の画像を出力することを目的とする。
【００１２】
また、本発明は、給紙された転写材が光沢や紙種の異なる転写材に変化した場合、その都度色安定化制御を行うことなく、安定した色味の画像を出力することを目的とする。
【課題を解決するための手段】
【００１３】
本発明は、転写材に形成した補正用画像の色味を検知し、検知結果に基づいて画像形成手段の色味補正を行うカラー画像形成装置の制御方法であって、給紙された転写材の変化を検出する工程と、前記検出する工程で転写材の変化を検出した場合、その転写材に形成した補正用画像の色味を検知し、検知結果に基づいて画像形成手段の色味補正を行い、その色味補正の補正データとその転写材に関する情報とを記憶する工程と、前記検出する工程で前記転写材への変化を検出した場合、前記記憶する工程で記憶した転写材に関する情報に応じて前記補正データにより画像形成を行うように制御する工程とを有することを特徴とする。
【００１４】
また本発明は、転写材に形成した補正用画像の色味を検知し、検知結果に基づいて画像形成手段の色味補正を行うカラー画像形成装置において、給紙された転写材の変化を検出する検出手段と、前記検出手段により転写材の変化を検出した場合、その転写材に形成した補正用画像の色味を検知し、検知結果に基づいて画像形成手段の色味補正を行い、その色味補正の補正データとその転写材に関する情報とを記憶する記憶手段と、前記検出手段により前記転写材への変化を検出した場合、前記記憶手段に記憶した転写材に関する情報に応じて前記補正データにより画像形成を行うように制御する制御手段とを有することを特徴とする。
【発明の効果】
【００１５】
本発明によれば、給紙された転写材が光沢や紙種の異なる転写材に変化しても安定した色味の画像を出力することができる。
【００１６】
また、給紙された転写材が光沢や紙種の異なる転写材に変化した場合、その都度色安定化制御を行うことなく、安定した色味の画像を出力することができる。
【発明を実施するための最良の形態】
【００１７】
以下、図面を参照しながら発明を実施するための最良の形態について詳細に説明する。
【実施例１】
【００１８】
図１は、実施例１における画像形成装置の概略構造を示す図である。実施例１では４色、即ちイエローＹ、マゼンタＭ、シアンＣ、ブラックＫの画像形成手段を備えた電子写真方式のカラー画像形成装置を示すものである。図１において、５Ｙ、５Ｍ、５Ｃ、５Ｋは静電潜像を形成する感光ドラム、７Ｙ、７Ｍ、７Ｃ、７Ｋは帯電器、８Ｙ、８Ｍ、８Ｃ、８Ｋは現像器、１１Ｙ、１１Ｍ、１１Ｃ、１１Ｋはトナー容器、１０Ｙ、１０Ｍ、１０Ｃ、１０Ｋは画像信号に応じて露光を行い、感光ドラム１上に静電潜像を形成するレーザスキャナである。１２は感光ドラム５に形成されたトナー像を順次転写し搬送する中間転写ベルト、６Ｙ、６Ｍ、６Ｃ、６Ｋは現像器８により感光ドラム５上に形成された静電潜像に従って顕像化されたトナー像を中間転写ベルト１２に転写する１次転写ローラ、１８ａは図示しないモータとギア等からなる駆動部と接続され、中間転写ベルト１２を駆動するベルト駆動ローラ、１８ｂは中間転写ベルト１２の移動に従って回転し、且つ、中間転写ベルト１２に一定の張力を付与するベルト従動ローラ、９は中間転写ベルト１２によって搬送されたトナー像を用紙に転写する２次転写ローラである。
【００１９】
３２，３４，３６は給紙カセット、１３は用紙上に転写されたトナー像を熱で溶かし定着する定着器、２７は用紙を両面ユニットに送る場合に搬送経路を切換るフラッパ、２２は中間転写ベルト１２上に形成された濃度検知用パターンを検知するセンサ、３９は転写材の表面の光沢や紙種を検知するセンサ、３８は転写材１上に定着されたトナーの色味を検知するセンサである。図中の矢印は用紙搬送の流れを示す。
【００２０】
図２は、実施例１における画像形成装置の制御部を示す図である。図２に示すように、制御部は、装置全体を制御管理するＣＰＵ２０１、画像形成装置（プリンタ）とホスト（パーソナルコンピュータ：ＰＣ）との通信を司るホストＩ／Ｆ部２０２、プリントデータ、各種パラメータ、各種情報等を保持するメモリ２０３、ＰＣからプリンタへ送出されたプリントデータをプリンタエンジンの方式に適したデータに変換する画像制御部２０４、プリンタ各部の状態を検知するセンサ制御部２０５、プリンタエンジンのアクチュエータ類、レーザ、高圧電源等の駆動制御を司る駆動制御部２０６、プリンタの情報を表示する表示部とユーザからの指示を入力する入力部を備えた操作パネル２０７を含む。
【００２１】
上記構成において、ＰＣからプリントデータがホストＩ／Ｆ部２０２を通ってプリンタに送出され、画像制御部２０４にてプリンタエンジンの方式に適したデータ変換が終了し、メモリ２０３にデータが保持される。そして、プリンタがプリント可能状態となると、駆動制御部２０６により図示しないモータやギア等からなる駆動手段と接続された、感光ドラム５や中間転写ベルト１２が駆動を開始すると共に、ピックアップローラ３３、３５、３７により選択された給紙カセット３２、３４，３６の何れかより転写材１が給紙され、搬送ローラ２４などでレジストローラ２３へと搬送される。
【００２２】
ここで転写材１がレジ前センサ１９により検知されると、センサ３９は転写材の表面性を検知し、その結果を制御部内のメモリ２０３に保存する。また、各色の画像信号が各色のレーザスキャナ１０に送られ、感光ドラム５上に静電潜像が形成され、現像器８で感光ドラム５上に形成された静電潜像に従って顕像化されたトナー像が、１次転写ローラ６で中間転写ベルト１２上に転写される。
【００２３】
図１に示した構成では、Ｙ、Ｍ、Ｃ、Ｋの順に順次画像が形成される。更に、中間転写ベルト１２上の画像位置とタイミングを合わせて、転写材１が２次転写ローラ９に供給され、トナー像が転写材１上に転写され、定着器１３で熱によってトナー像が転写材１上に定着され、外部へ排出される。
【００２４】
また、実施例１では、転写材１の光沢や紙種をセンサ３９によって検知し、検知結果を制御部のメモリ２０３に保存する。そして、メモリ２０３に保存した前回の転写材と光沢や紙種が異なる転写材をセンサ３９で検知した場合、転写材１上に色検知用のテストパターン（パッチ）を形成し、定着器１３の後に置かれたセンサ３８で定着後のパッチの色味を検知し、検知結果に基づき濃度−階調特性を補正し、転写材によらず、安定した色味の画像を出力できるように、色安定化制御を実行する。
【００２５】
これらの一連の動作に当たっては、センサ制御部２０５によって装置内部の様子が監視され、ＣＰＵ２０１によって全体が制御される。
【００２６】
以下、図３を用いて実施例１のプリント動作について詳しく説明する。
【００２７】
図３は、実施例１におけるプリント処理を示すフローチャートである。まず、ステップ２０１（以下、Ｓ２０１と記す）において、ＰＣなどからホストＩ／Ｆ部２０２を介して印刷データが送付されると、ＣＰＵ２０１はプリント動作を開始する。そして、Ｓ２０２において、指定された給紙カセットより転写材１を給紙すると共に、画像制御部２０４で印刷データをプリンタエンジンの方式に適したデータに変換する。次に、Ｓ２０３において、給紙された転写材１の光沢や紙種をセンサ３９が検知し、Ｓ２０４で、メモリ２０３に保存されている前回の色安定化制御を実施した際の検知結果と比較する。ここで、検知結果がほぼ同じ場合はそのままＳ２０５へ進み、画像形成（潜像の形成、現像）を行い、続くＳ２０６で転写・定着を行った後、Ｓ２０７で転写材１を排紙し、１枚のプリントを終了する（Ｓ２０８）。
【００２８】
一方、Ｓ２０４で転写材１の光沢や紙種の検知結果が画像の色味に現れるくらい違っていた場合はＳ２０９へ進み、転写材１の光沢の検知結果をメモリ２０３に保存し、色安定化制御のシーケンスに入る。このシーケンスは、まずＳ２１０において、テストパターンを形成し、Ｓ２１１で転写・定着を行った後、Ｓ２１２で転写材１へ定着されたトナーのテストパターンをセンサ３８で検知し、Ｓ２１３でその検知結果を用いて色安定化制御を実行する。その後、Ｓ２０５へ進み、本来プリントすべき画像形成を行う。
【００２９】
このように、転写材の光沢をセンサ３９で検知し、前回の色安定化制御を実施した際の転写材の光沢とほぼ同じ場合はそのままプリントを行い、また異なる場合は色安定化制御を実行した後、本来のプリント動作を行うことで、異なる転写材でもユーザの手を煩わすことなく、自動でキャリブレーションを行うことができ、常に安定した色味の画像を得ることができる。
【００３０】
尚、上述した光沢の検知、定着されたトナーの色味の検知、色安定化制御は、具体的には次のようにして行われる。まず光沢の検知について図４を用いて説明する。図４に示す（Ａ）の５１はＬＥＤのような照明手段であり、照明手段からの光が、例えば転写材１の法線方向（点線）から４５°の角度で転写材１に照射されるように設けられている。５２はフォトダイオードやフォトトランジスタなどの受光手段であり、転写材１で−４５°の方向に正反射された入射光を検知する。また必要に応じて受光手段５２の前にスリットやレンズ（図示せず）を設けて正反射光を選択的に検知する場合もある。
【００３１】
この構成において、光沢が高い転写材１の場合は正反射の割合が多く、受光手段５２にはより大きな光電流が流れる。一方、光沢の低い転写材１の場合は正反射の割合が少なく、受光手段５２には小さな光電流しか発生しない。
【００３２】
従って、受光手段５２で発生した光電流を図示しない抵抗やオペアンプを用いてＩＶ（電流−電圧）変換とインピーダンス変換を実施し、電圧として取り出し、図示しないＡＤ（アナログ−デジタル）変換器でデジタル値に変換し、大小を比較することによって光沢の大小を知ることができる。
【００３３】
図４に示す（Ｂ）は転写材１の紙種を検知するセンサの一例を示す図である。ここで、５１は図４に示した（Ａ）と同じ照明手段であり、５３はＣＭＯＳやＣＣＤで構成されるエリアセンサであり、転写材１の表面を撮像する。図示するように、転写材１の表面には斜めから光が入射されるため、転写材１の表面の凹凸に応じて影ができる。これをエリアセンサ５３で検知し、凹凸の深さ（例えば、複数画素の出力の最大値と最小値との差分で判断できる）や凹凸の細かさ（例えば、センサ出力を２値化したときの“１”と“０”の切り替わり頻度で判断できる）によって、普通紙、ラフ紙、グロス紙、コート紙、ＯＨＰのような紙種を判別することができる。また、コート紙やグロス紙は反射率が高く、普通紙やラフ紙は反射率が低いため、紙種を基準に色安定化制御を実施するか否かを判断することもできる。
【００３４】
次に、図５を用いて転写材１に定着されたトナーの色味を検知する方法について詳細に説明する。図５に示す５４は可視光全域にスペクトルを持つ白色ＬＥＤのような照明手段である。５５は表面にそれぞれＲＧＢのカラーフィルタを付けた複数のフォトダイオードやフォトトランジスタを含む受光手段である。
【００３５】
上述の構成において、転写材１上にテストパターンとして定着されたトナーパッチ４１に対して、照明手段５４が転写材１の法線方向から４５°傾いた角度で光を照射し、法線方向に乱反射してくる光を受光手段５５が検知する。よって、ＲＧＢそれぞれのフィルタを設けたセンサの検知結果から反射光に含まれるＲＧＢの各成分を得ることができる。
【００３６】
尚、何れの検知手段も検知位置に基準反射板を設けておけば、転写材１が通紙されない状態で、検知手段の較正ができるので望ましい。
【００３７】
次に、実施例１における色安定化制御について詳細に説明する。ここでは、制御の一例として色の安定しているＫトナーの色に、ＣＭＹのプロセスグレーの色を合わせるグレー軸制御を用いた色安定化制御について説明する。
【００３８】
この色安定化制御を説明する前に、図６を用いて画像制御部２０４による処理について詳しく説明する。図６に示すＳ２２１からＳ２２４は、カラー画像形成装置の画像制御部２０４による処理の一例である。
【００３９】
まず、Ｓ２２１で、予め用意されているカラーマッチングテーブルにより、パーソナルコンピュータなどから送られてくる画像の色を表すＲＧＢ信号をカラー画像形成装置の色再現域に合わせたデバイスＲＧＢ信号（以下ＤｅｖＲＧＢという）に変換する。そして、Ｓ２２２で、予め用意されている色分解テーブルにより、そのＤｅｖＲＧＢ信号をカラー画像形成装置のトナー色材色であるＣＭＹＫ信号に変換する。次に、Ｓ２２３で、各々のカラー画像形成装置に固有の濃度−階調特性を補正するキャリブレーションテーブルにより、ＣＭＹＫ信号に濃度−階調特性の補正を加えて、Ｃ’Ｍ’Ｙ’Ｋ’信号に変換する。そして、Ｓ２２４で、ＰＷＭ（Pulse Width Modulation）テーブルにより、Ｃ’Ｍ’Ｙ’Ｋ’信号に対応するスキャナ部１０Ｃ、１０Ｍ、１０Ｙ、１０Ｋの露光時間Ｔｃ、Ｔｍ、Ｔｙ、Ｔｋへ変換する。
【００４０】
一方、色安定化制御で使用するテストパターンとしては、ある階調のＫのパッチと設計段階でこのＫのパッチと同じ色味となるＣＭＹの混合比から各色所定の割合で変動させた複数のＣＭＹ混色パッチの組み合わせを複数の階調分形成する。これらのパッチをセンサ３８で検知することにより、各階調のＫパッチからの反射光のＲＧＢ成分とＣＭＹの混色パッチからの反射光のＲＧＢ成分とが同じ結果となるＣＭＹの割合を求めることができる。これを複数階調分求めることにより、各色トナーごとに望ましいγテーブルを得ることができる。この結果を用いて上述のキャリブレーションテーブル（Ｓ２２５）を補正することにより、色安定化制御を実現できる。
【００４１】
尚、ここでは、複数の感光ドラムを持つタンデム方式の画像形成装置を対象に説明したが、本発明はこれだけに限らず、１ドラム方式の画像形成装置やインクジェットプリンタを対象としても良い。
【００４２】
また、図１に示す例では、転写材の光沢や紙種を検知する検知手段をレジ前センサ１９の直前に配置した例を説明したが、検知手段はレジ前の近傍に限らず、各各給紙カセット付近にそれぞれ検知手段を設け、搬送開始前に検知を行っても良いことは言うまでもない。その場合、搬送開始前に検知が終了しているので、本来作成すべき画像の潜像の形成や現像を待ち時間無しに実行でき、最初のプリントが完了するまでの時間を短縮することができる。
【００４３】
以上説明した実施例１によれば、光沢や紙種が従来と異なる転写材が給紙された場合、光沢センサやメディアセンサのような検知手段で転写材を検知し、定着後のトナーの色味を検知する検知手段でテストパターンを検知し、色安定化制御を制御部からの指示により自動実行するようにしたので、ハーフトーンなど画像の色味が下地の光沢の影響をうけるような画像を出力する場合でも安定した画像を得ることができる。
【実施例２】
【００４４】
次に、図面を参照しながら本発明に係る実施例２について詳細に説明する。
【００４５】
実施例１では、搬送された転写材の光沢や紙種を検知し、直前に色安定化制御を実施した転写材と異なるときに、自動的に色安定化制御を行う場合を説明したが、ＬＢＰや複写機では、通常複数の給紙カセットや給紙オプションを備えており、複数の紙種を混在して使用することが少なからず行われている。このような場合、色安定化制御の頻度が増えることにより、プリントできない時間が増えてしまい、またテストパターンを印字した転写材が多く発生してしまうという問題があった。そこで、実施例２では、このような問題を改善し、プリントできない時間を短縮すると共にテストパターンを印字した転写材の発生を抑える制御方法について説明する。
【００４６】
尚、実施例２における画像形成装置の構成は、実施例１で説明した図１と同様であり、その説明は省略する。また、図２に示した制御部、図４及び図５に示した検知手段の構成も同様であり、その説明は省略する。
【００４７】
以下、図７を用いて実施例２のプリント動作について詳しく説明する。尚、図３と同じステップには同じ符号を付け、Ｓ２１４、Ｓ２１６、Ｓ２１７が新たに追加したステップである。
【００４８】
図７は、実施例２におけるプリント処理を示すフローチャートである。まず、Ｓ２０１において、ＰＣなどからホストＩ／Ｆ部２０２を介して印刷データが送付されると、ＣＰＵ２０１はプリント動作を開始する。そして、Ｓ２０２において、指定された給紙カセットより転写材１を給紙すると共に、画像制御部２０４で印刷データをプリンタエンジンの方式に適したデータに変換する。次に、Ｓ２０３において、給紙された転写材１の光沢や紙種をセンサ３９が検知し、Ｓ２０４で、メモリ２０３に保存されている前回の色安定化制御を実施した際の検知結果と比較する。ここで、検知結果がほぼ同じ場合はそのままＳ２０５へ進み、画像形成（潜像の形成、現像）を行い、続くＳ２０６で転写・定着を行った後、Ｓ２０７で転写材１を排紙し、１枚のプリントを終了する（Ｓ２０８）。
【００４９】
一方、Ｓ２０４で転写材１の光沢や紙種の検知結果が画像の色味に現れるくらい違っていた場合はＳ２１４へ進み、制御部のメモリ２０３に保存された結果の中に、Ｓ２０３で検知された結果とほぼ同じ結果の転写材１のデータが保存されているか否かを判断する。ここで、データが保存されていない場合はＳ２０９へ進み、転写材１の光沢の検知結果をメモリ２０３に保存し、Ｓ２１０以降の色安定化制御のシーケンスに入る。色安定化制御を実行した後、Ｓ２１７において、色安定化制御で得られた補正データをメモリ２０３に保存し、Ｓ２０５以降で本来の画像形成を行う。
【００５０】
また、Ｓ２１４で転写材１に対応するデータがメモリ２０３に保存されている場合はＳ２１６へ進み、メモリ２０３に記録されていた該当する転写材１から得られた補正データを用いてＳ２０５以降で画像形成を行う。
【００５１】
以上のように、実施例２では、給紙された転写材１に対応した色安定化制御を実施して得られた補正データを転写材１の種類毎にメモリ２０３に記憶しておき、プリントを行う際に使用する転写材１の補正データがメモリ２０３に記憶されていなければ、色安定化制御を実行し、保存されていれば、そのデータを用いて画像形成を行うことで、画像のプリントができない時間を最小にできると共に安定した色味の画像を得ることができ、色安定化制御に用いる転写材の無駄も省くことができる。
【００５２】
従って、複数の給紙カセットから異なる光沢や紙種の転写材を交互に給紙してプリントする場合や複数のユーザが複数の種類の転写材を用いて同時にプリント要求を出した場合などでもユーザを待たせることなく、高画質の画像を得ることができる。
【実施例３】
【００５３】
次に、図面を参照しながら本発明に係る実施例３について詳細に説明する。
【００５４】
実施例２では、メモリ２０３に補正データが保存されている場合は、その補正データを用いて画像形成を行うようにしていたが、メモリ２０３に保存された補正データが取得された状態から画像形成装置の使用環境、例えば温湿度が大きく変化したり、トナー容器や現像器のような消耗品が交換されていた場合、保存された補正データが正しくない可能性が生じる。実施例３では、このような問題を解決する制御方法について説明する。
【００５５】
図８は、実施例３における画像形成装置の概略構造を示す図である。上述した実施例１との違いは、画像形成装置内の温度や湿度を検知する環境検知手段４０を設けたことと、現像器８やトナー容器１１内にバーコードや接触・非接触のタグのような記録手段４２、４３を設け、シリアル番号等を記録できるようにした点である。もちろん、画像形成装置には、これらを読み取る読取手段（図示せず）も合わせて設ける必要がある。それ以外は実施例１で説明した図１と同じ構成のため、説明は省略する。
【００５６】
以下、図９を用いて実施例３のプリント動作について詳しく説明する。尚、図３、図７と同じステップには同じ符号を付け、Ｓ２１５が新たに追加したステップである。
【００５７】
図９は、実施例３におけるプリント処理を示すフローチャートである。まず、Ｓ２０１において、ＰＣなどからホストＩ／Ｆ部２０２を介して印刷データが送付されると、ＣＰＵ２０１はプリント動作を開始する。そして、Ｓ２０２において、指定された給紙カセットより転写材１を給紙すると共に、画像制御部２０４で印刷データをプリンタエンジンの方式に適したデータに変換する。次に、Ｓ２０３において、給紙された転写材１の光沢や紙種をセンサ３９が検知し、Ｓ２０４で、メモリ２０３に保存されている前回の色安定化制御を実施した際の検知結果と比較する。ここで、検知結果がほぼ同じ場合はそのままＳ２０５へ進み、画像形成（潜像の形成、現像）を行い、続くＳ２０６で転写・定着を行った後、Ｓ２０７で転写材１を排紙し、１枚のプリントを終了する（Ｓ２０８）。
【００５８】
一方、Ｓ２０４で転写材１の光沢や紙種の検知結果が画像の色味に現れるくらい違っていた場合はＳ２１４へ進み、制御部のメモリ２０３に保存された結果の中に、Ｓ２０３で検知された結果とほぼ同じ結果の転写材１のデータが保存されているか否かを判断する。ここで、データが保存されていない場合はＳ２０９へ進み、転写材１の光沢の検知結果をメモリ２０３に保存し、Ｓ２１０以降の色安定化制御のシーケンスに入る。色安定化制御を実行した後、Ｓ２１７において、色安定化制御で得られた補正データをメモリ２０３に保存し、Ｓ２０５以降で本来の画像形成を行う。
【００５９】
また、Ｓ２１４で転写材１に対応するデータがメモリ２０３に保存されている場合はＳ２１５へ進み、そのデータが取得された際の画像形成装置の使用条件、具体的には、環境検知手段４０により、温湿度の大きな変動、現像器やトナー容器交換（シリアルナンバーで判断）等のような画質変動の原因となるような使用条件の変化が発生したか否かを判断する。その結果、使用条件の変動がなければＳ２１６へ進み、メモリ２０３に記録されていた該当する転写材１から得られた補正データを用いてＳ２０５以降で画像形成を行う。また、Ｓ２１５で使用条件の変動があった場合はＳ２０９へ進み、転写材１の検知結果をメモリ２０３に保存し、Ｓ２１０以降の色安定化制御のシーケンスに入る。色安定化制御を実行した後、Ｓ２１７において、色安定化制御で得られた補正データをメモリ２０３に保存し、Ｓ２０５以降で本来の画像形成を行う。
【００６０】
以上のように、実施例３では、給紙された転写材１が過去に色安定化制御の対象となったものであって、かつ、画像形成装置の使用環境が色安定化制御を実施してから変動してない場合は、メモリ２０３に保存された補正データを用いて画像形成を行い、また新規に検知された転写材か、過去に色安定化制御を実施していても使用環境が変動していれば、色安定化制御を実行してから画像形成を行うことで、ユーザが必要とする画像のプリントを停止する時間を最小限に抑え、安定した色味の画像を得ることができる。
【００６１】
従って、複数の給紙カセットから異なる光沢や紙種の転写材を交互に給紙してプリントする場合や複数のユーザが複数の種類の転写材を用いて同時にプリント要求を出した場合などでもユーザを待たせることなく、高画質の画像を得ることができる。
【００６２】
尚、Ｓ２０４でほぼ同じ転写材と判断した後に、Ｓ２１５と同じく使用条件変動の有無を判断するステップを入れておき、前回のプリント時と同じ転写材であっても、画像形成条件の使用条件が変っていればＳ２０９へ進み、色安定化制御を行い、使用条件が変ってない場合はそのままプリントするようにしても良いことは言うまでもない。
【実施例４】
【００６３】
次に、図面を参照しながら本発明に係る実施例３について詳細に説明する。
【００６４】
実施例１〜３では、転写材の光沢や紙種が変った際、自動的に色安定化制御を実施したが、ユーザが特殊な転写材や高価な転写材、テキストなど厳密な色味を気にしないデータの画像を形成する場合、プリントを急ぐ場合など、自動的に紙上にテストパターンを形成して補正を行うことは必ずしもユーザのメリットにならない場合がある。実施例４では、この問題を回避した制御方法について説明する。
【００６５】
以下、図１０を用いて実施例４のプリント動作について説明する。尚、実施例３の処理手順との違いは、Ｓ２１８とＳ２１９を追加した点である。また同様に、実施例１、２にＳ２１８とＳ２１９を追加しても良い。
【００６６】
図１０は、実施例４におけるプリント処理を示すフローチャートである。実施例１〜３で説明したように、給紙された転写材を検知し、色安定化制御が必要と判断された場合はＳ２１８へ進み、実施例４では自動的に色安定化制御を実行するのではなく、操作パネル２０７の表示部に色安定化制御の実行を推奨する表示を行い、実行の可否をユーザに操作パネル２０７からキー入力してもらう。そして、Ｓ２１９で、ユーザから色安定化制御の実行を指示された場合はＳ２０９へ進み、実施例１〜３と同様に色安定化制御を実施した後、本来の画像形成を行う。また、Ｓ２１９で、ユーザが色安定化制御の実行を指示しなかった場合はＳ２０５へ進み、そのまま本来の画像形成を行う。
【００６７】
このように、これまで使用していたものと異なる光沢や紙種の転写材が給紙された場合、ユーザの意思で色安定化制御の実行の有無を決められるようにしたことで、特殊な転写材や高価な転写材、テキストなど厳密な色味を気にしないデータの画像を形成する場合に、ユーザの望まない転写材の消費や補正に要する待ち時間の問題を回避し、ユーザが必要に応じて色安定化制御を行うことができ、色味の安定した画像を得ることができる。
［変形例］
図１１を用いて上述した実施例の変形例について説明する。上述した実施例１〜４との違いは、色安定化制御が必要と判断された場合に、自動的に色安定化制御を実行するのではなく、図１１に示すＳ２２０において、デフォルトの補正値（予めメモリ２０３に記憶しておくものとする）を用いるか、メモリ２０３に記憶されている中で光沢や紙種が一番近い転写材の補正値を用いるかを操作パネル２０７の表示部に表示し、入力部からユーザの指示を入力する点である。このように処理することで、理想的ではなくとも、ある程度色味の合った画像をユーザに提供することができ、ユーザも色安定制御が実行されるのを待つ必要もなくなる。
【００６８】
尚、ここでは、色安定化制御の実行を操作パネル２０７の表示部に表示し、入力部から指示を入力する場合を示したが、操作パネル２０７に限らず、制御部のＣＰＵ２０１からユーザのパソコンに表示を行い、パソコンからユーザの指示を入力するようにしても良いことは言うまでもない。
【００６９】
また、実施例１〜４では、センサ３９を用いて転写材の光沢や紙種を検知する例を説明したが、操作パネル２０７やパソコンからユーザが転写材の種類を入力するようにしても良く、検知手段３９は必須ではない。この場合、Ｓ２０３は不要となり、Ｓ２０９では、ユーザが入力した紙種に関するデータをメモリに保存すれば良い。
【００７０】
更に、転写材の光沢や紙種を検知する検知手段として、正反射光を見る光学センサや、転写材を撮像しての凹凸の度合いを検知する光学センサを例に挙げて説明したが、これら２つの構成に限られるものではないことは言うまでもない。
【００７１】
また同様に、転写材上に形成された画像の色味を検知する検知手段として、白色ＬＥＤを光源とし、ＲＧＢのフィルタを設けた複数の光センサで検知する場合を例に挙げて説明したが、これに限らず、一般的に色味を検知できるセンサであれば良いことは言うまでもない。例えば、フィルタの代わりに分光素子を設けラインセンサ上に分光された光を結像させ、反射光の分光スペクトルを求める方式や、異なる波長の複数の光源で次々にトナーを照射し、１つのセンサで時系列的に信号を検知しても良い。
【００７２】
尚、本発明は複数の機器（例えば、ホストコンピュータ，インターフェース機器，リーダ，プリンタなど）から構成されるシステムに適用しても、１つの機器からなる装置（例えば、複写機，ファクシミリ装置など）に適用しても良い。
【００７３】
また、本発明の目的は前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行することによっても、達成されることは言うまでもない。
【００７４】
この場合、記録媒体から読出されたプログラムコード自体が前述した実施形態の機能を実現することになり、そのプログラムコードを記憶した記録媒体は本発明を構成することになる。
【００７５】
このプログラムコードを供給するための記録媒体としては、例えばフロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００７６】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【００７７】
更に、記録媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【図面の簡単な説明】
【００７８】
【図１】実施例１における画像形成装置の概略構造を示す図である。
【図２】実施例１における画像形成装置の制御部を示す図である。
【図３】実施例１におけるプリント処理を示すフローチャートである。
【図４】転写材の光沢や紙種を検知する検知手段を説明するための図である。
【図５】転写材に定着されたトナーの色を検知する検知手段を説明するための図である。
【図６】画像制御部２０４における処理手順を示す図である。
【図７】実施例２におけるプリント処理を示すフローチャートである。
【図８】実施例３における画像形成装置の概略構造を示す図である。
【図９】実施例３におけるプリント処理を示すフローチャートである。
【図１０】実施例４におけるプリント処理を示すフローチャートである。
【図１１】変形例におけるプリント処理を示すフローチャートである。
【符号の説明】
【００７９】
２０１  ＣＰＵ
２０２  ホストＩ／Ｆ部
２０３  メモリ
２０４  画像制御部
２０５  センサ制御部
２０６  駆動制御部
２０７  操作パネル
【図１】
2005125714.tif 000003
【図２】
2005125714.tif 000004
【図３】
2005125714.tif 000005
【図４】
2005125714.tif 000006
【図５】
2005125714.tif 000007
【図６】
2005125714.tif 000008
【図７】
2005125714.tif 000009
【図８】
2005125714.tif 000010
【図９】
2005125714.tif 000011
【図１０】
2005125714.tif 000012
【図１１】
2005125714.tif 000013